(57)【要約】【課題】      強い衝撃が加わっても確実に釣り針が保持できる釣り用仕掛け保持具を提供することである。【解決手段】  釣り用仕掛け保持具Ａはカップを伏せた形状に形成されたベ−ス体３に、ベ−ス体３の上面３ａに上方に開口を有する長手方向の数条の溝部３ｂが形成されて溝部３ｂ内の左側壁ａと右側壁ｂに沿ってそれぞれ柔軟性を有する合成樹脂から成る板状の磁石４、５を対向するように接着剤で貼着等で取り付け、一対の磁石４、５間には釣り針２を差し込むための間隙部αを有し互いに近設して設けられている。  ベ−ス体３の上面３ａに上方に開口を有する長手方向の数条の溝部３ｂを形成して溝部３ｂの左右側壁ａ、ｂに板状の一対の磁石４、５を接着剤で貼着等で取り付けることで釣り針保持部Ｂを構成している。【選択図】        図２
2007029000.tif 000002
【特許請求の範囲】
【請求項１】
一対の磁石を釣り針を差し込む間隙部を設けてこの間隙部を介して対向するように配置した釣り針保持部を有することを特徴とする釣り用仕掛け保持具。
【請求項２】
ベ−ス体に溝部を形成して溝部の両側に一対の磁石を貼着したことを特徴とする請求項１記載の釣り用仕掛け保持具。
【請求項３】
溝部内に一対の磁石は溝部から突出しないように取り付けたことを特徴とする請求項１または２記載の釣り用仕掛け保持具。
【請求項４】
一対の磁石の間隙への釣り針の差し込み口は一対の磁石の何れか一方の高さが低くなるように形成されていることを特徴とする請求項１から３記載の釣り用仕掛け保持具。
【請求項５】
一対の磁石は柔軟性を有する合成樹脂で形成されていることを特徴とする請求項１から４記載の釣り用仕掛け保持具。
【発明の詳細な説明】
【技術分野】
【０００１】
本発明は、仕掛けの釣り針を保持しておく釣り用仕掛け保持具の改良に関する。
【背景技術】
【０００２】
従来から釣り用仕掛け収納ケ−スにおいて、仕掛けの釣り針を保持するために発泡合成樹脂の針掛け部や挾持部を有するものがあった。
このような釣り用仕掛け収納ケ−スは釣り針を引き抜くときに引っ掛かりやすく、また、釣り針を繰り返し保持するうちに発泡合成樹脂が癖付けされ、保持した釣り針が脱落しやすくなる不具合を有していた。
さらに、釣り針の一側を磁石で吸着して保持する仕掛け収納ケ−スが特許文献１で紹介されている。
しかし、釣り用仕掛け収納ケ−スに強い衝撃が加わった場合、飛ばされるように一度に磁石から外れやすく、一度磁石から外れると釣り針を保持するものが無くなるためケ−ス内で仕掛けがバラバラになってしまうという欠点があった。
【特許文献１】実用新案登録第２５８２９０９号公報
【発明の開示】
【発明が解決しようとする課題】
【０００３】
解決しようとする問題点は、特許文献１の釣り用仕掛け収納ケ−スでは、仕掛け収納ケ−スに強い衝撃が加わった場合、磁石から釣り針が脱落しやすいことである。
【０００４】
本発明の目的は前記欠点に鑑み、強い衝撃が加わっても確実に釣り針が保持できる釣り用仕掛け保持具を提供することである。
【課題を解決するための手段】
【０００５】
本発明の請求項１は、一対の磁石を釣り針を差し込む間隙部を設けてこの間隙部を介して対向するように配置した釣り針保持部を有することを要旨とするものである。
本発明の請求項２は、ベ−ス体に溝部を形成して溝部の両側に一対の磁石を貼着したことを要旨とするものである。
本発明の請求項３は、溝部内に一対の磁石は溝部から突出しないように取り付けたことを要旨とするものである。
本発明の請求項４は、一対の磁石の間隙への釣り針の差し込み口は一対の磁石の何れか一方の高さが低くなるように形成されていることを要旨とするものである。
本発明の請求項５は、一対の磁石は柔軟性を有する合成樹脂で形成されていることを要旨とするものである。
【発明の効果】
【０００６】
本発明の請求項１により、釣り針保持部は一対の磁石を有するため釣り針の双方向から吸着でき安定して釣り針を保持できるため保持した釣り針の脱落が防止できる。
また、釣り針の一方の磁石による保持がはずれても他方の磁石によってすぐに保持されるため保持した釣り針の脱落が防止できる。
本発明の請求項２により、ベ−ス体に溝部を形成して溝部の両側に一対の磁石を貼着したので、釣り針保持部の製作が容易になる。
本発明の請求項３により、釣り用仕掛け保持具のベ−ス体の溝部によって釣り針が一対の磁石の間隙部に案内されて差し込みやすくなる。
本発明の請求項４により、一対の磁石の高さが低い側の磁石に案内されて釣り針の差込み口に釣り針が案内されて差込みやすくなる。
本発明の請求項５により、間隙部より軸の太い釣り針でも差し込んで挾持でき、また、釣り針の傷付きが防止できる。
【発明を実施するための最良の形態】
【０００７】
釣り用仕掛け収納ケ−ス１の中に釣り用仕掛け保持具Ａが収納されている。
釣り用仕掛け保持具Ａはカップを伏せた形状に形成されたベ−ス体３に、ベ−ス体３の上面３ａに上方に開口を有する長手方向の数条の溝部３ｂが形成されている。
溝部３ｂ内の左側壁ａと右側壁ｂに沿ってそれぞれ柔軟性を有する合成樹脂から成る板状の磁石４、５を対向するように接着剤で貼着等で取り付けられている。
一対の磁石４、５間には釣り針２を差し込むための間隙部αを有し互いに近設して設けられている。
ベ−ス体３の上面３ａに上方に開口を有する長手方向の数条の溝部３ｂを形成して溝部３ｂの左右側壁ａ、ｂに板状の一対の磁石４、５を接着剤で貼着等で取り付けることで釣り針保持部Ｂを構成している。
【実施例１】
【０００８】
以下、図示の実施例によって本発明を説明すると、図１はケ−スに収納された釣り用仕掛け保持具の斜視図、図２はケ−スに収納された釣り用仕掛け保持具の断面側面図、図３（ａ）、（ｂ）、（ｃ）、（ｄ）は釣り用仕掛け保持具に保持された釣り針の保持状態を説明する要部断面側面図である。
【０００９】
釣り用仕掛け保持具Ａは釣り用仕掛け収納ケ−ス１や釣り服、釣り用鞄、ク−ラ−ボックス、リ−ル、釣竿、その他等の釣具に設けられて釣り針２や釣り針を有する仕掛けを保持している。
図面では釣り用仕掛け収納ケ−ス１の中に釣り用仕掛け保持具Ａが収納されている。
釣り用仕掛け収納ケ−ス１はヒンジ部１ａで連結されて開閉可能な蓋体１′を有するケ−ス本体１″内に釣り用仕掛け保持具Ａが収納されている。
釣り用仕掛け保持具Ａはカップを伏せた形状に形成されたベ−ス体３に、ベ−ス体３の上面３ａに上方に開口を有する長手方向の数条の溝部３ｂが形成されている。
溝部３ｂ内の左側壁ａと右側壁ｂに、溝部３ｂの長手方向に沿ってそれぞれ柔軟性を有する合成樹脂から成る板状の磁石４、５を対向するように接着剤で貼着等で取り付けられている。
一対の磁石４、５間には釣り針２を差し込むための間隙部αを有しこの間隙部αを介して互いに近設して設けられている。
ベ−ス体３の上面３ａに上方に開口を有する長手方向の数条の溝部３ｂを形成して溝部３ｂの左右側壁ａ、ｂに板状の一対の磁石４、５を、互いに対向するように接着剤で貼着等で取り付けることで釣り針保持部Ｂを構成している。
一対の磁石４、５は合成樹脂製以外の金属製でもよい。
【００１０】
一対の磁石４、５の間間隙は磁石４、５の癖付けや、釣り針２を取り出す時の引っ掛かりが防止されるため保持する釣り針２の径より幾分広くするのがよく、一般的に釣りに用いられる釣り針２の径は、
川釣り用の釣り針０．１〜２．０ｍｍ
鮎釣り用の釣り針０．３〜１．０ｍｍ
ルア−釣り用の釣り針０．５〜２．０ｍｍ
海釣り用の釣り針０．５〜３．０ｍｍで、
０．１〜３．０ｍｍの範囲であるため間隙部αは０．３〜４．０ｍｍが好ましい。
一対の磁石４、５は釣り針２が差し込みやすいようにベ−ス体３の溝部３ｂの開口より突出しないように設け、さらに、一方の磁石４の上端部の高さは他方の磁石５の高さより低くしている。
一対の磁石４、５は対向する側がそれぞれＳ極とＮ極とするなど異極に構成され、釣り針２を確実に保持している。
【００１１】
このような釣り用仕掛け保持具Ａが使用されてベ−ス体３の溝部３ｂ内の一対の磁石４、５の間隙部αに釣り針２が差し込まれると、釣り針２は、一対の磁石４、５の何れかで保持される。
図２では釣り針２は磁石５に磁気で吸着されている。
保持した釣り針２が衝撃を受けて他方の磁石５から外れても一方の磁石４に保持されるため間隙部αから釣り針２が脱落しにくく、確実に保持される。
その状態を図３で述べると、（ａ）の釣り針２が磁石５に磁気で吸着されている状態で衝撃を受けて傾くと（ｂ）の状態のように釣り針２の途中が磁石４に当接する。
（ｂ）の状態で衝撃を受けると（ａ）の状態に戻ったり、（ｃ）のように針先側が磁石４側に吸着される。
（ｃ）の状態で衝撃を受けると傾いて（ｄ）の状態となり、この状態で衝撃を受けると（ｃ）の状態に戻ったり（ａ）の状態となる。
したがって、一対の磁石４、５が間隙部αを隔てて配され間隙部αに差し込まれた釣り針２は衝撃を受けても間隙部αから脱落しにくく、一対の磁石４、５が間隙部αを隔てて互いに吸着から外れた釣り針２を再び吸着保持するため容易に脱落することがない。
【００１２】
前記のように釣り用仕掛け保持具Ａが構成されていると、釣り針保持部Ｂは一対の磁石４、５を有するため釣り針２の双方向から吸着でき安定して釣り針２を保持できるため保持した釣り針２の脱落が防止できる。
また、釣り針２の一方の磁石による保持がはずれても間隙部を介して近設した他方の磁石によってすぐに保持されるため保持した釣り針２の脱落が防止できる。
ベ−ス体３に溝部３ｂを形成して溝部３ｂの両側に一対の磁石４、５を貼着したので、釣り針保持部Ｂの製作が容易になる。
釣り用仕掛け保持具Ａのベ−ス体３の溝部３ｂによって釣り針２が一対の磁石４、５の間隙部αに案内されて差し込みやすくなり、間隙部αの釣り針２の径より広いため、釣り針２の取り付けが容易で、取り出し時の引っ掛かりが防止される。
一対の磁石４、５の高さが低い側の磁石に案内されて釣り針２の差込み口に釣り針２が案内されて差込みやすくなる。
場合によっては、間隙部αより軸の太い釣り針でも差し込んで挾持でき、また、釣り針の傷付きが防止できる。
尚、溝部３ｂ内に磁石４、５を接着したが、これに限らず、間隙部を介して磁石を配置した釣り針保持部Ｂを有していればよく、例えば、溝部３ｂを形成する側壁３ｃ、３ｄを磁石で形成したり、また、磁石４、５を溝部３ｂの内側（側壁３ｃ、３ｄの内側）でなく、側壁３ｃ、３ｄの外側に取り付けて、溝部３ｂ内に差し込んだ釣り針２を側壁３ｃ、３ｄを介して吸着し溝部３ｂ内（間隙部α内）に保持してもよい。
【産業上の利用可能性】
【００１３】
本発明は釣り用仕掛け保持具全般に利用できる。
【図面の簡単な説明】
【００１４】
【図１】ケ−スに収納された釣り用仕掛け保持具の斜視図である。
【図２】ケ−スに収納された釣り用仕掛け保持具の断面側面図である。
【図３】（ａ）、（ｂ）、（ｃ）、（ｄ）は釣り用仕掛け保持具に保持された釣り針の保持状態を説明する要部断面側面図である。
【符号の説明】
【００１５】
Ａ  釣り用仕掛け保持具
Ｂ  釣り針保持部
１  釣り用仕掛け収納ケ−ス
２  釣り針
３  ベ−ス体
３ｂ  溝部
４、５  一対の磁石
α  間隙部
【図１】
2007029000.tif 000003
【図２】
2007029000.tif 000004
【図３】
2007029000.tif 000005